(57)【特許請求の範囲】
【請求項１】
可撓性ディスプレイと、
携帯通信端末を機能させるための部品が内蔵されている複数の部品ブロックであって、前記可撓性ディスプレイの相対する長辺ごとに複数の前記部品ブロックが囲んで配置され、隣り合う該部品ブロックどうしが前記可撓性ディスプレイが長辺に沿ってたわむときに前記長辺に沿ってたわませることが可能な接続部材により接続されている前記複数の部品ブロックと、
を備えた携帯通信端末。
【請求項２】
請求項１に記載の携帯通信端末であって、
前記可撓性ディスプレイと、前記部品ブロックとが同一平面上に配置されている、
携帯通信端末。
【請求項３】
請求項１に記載の携帯通信端末であって、
隣り合う前記部品ブロックどうしを引き付け合う磁石、
を備えた携帯通信端末。
【請求項４】
請求項３に記載の携帯通信端末であって、
前記磁石は電磁石であり、
前記可撓性ディスプレイを伸長して使用する際に、前記磁石がONにされる、
携帯通信端末。
【請求項５】
請求項１に記載の携帯通信端末であって、
複数の前記部品ブロックに分けて配置された電池、
を備えた携帯通信端末。
【発明の詳細な説明】
【技術分野】
【０００１】
本発明は携帯通信端末に関する。
【背景技術】
【０００２】
従来より、携帯電話等の携帯通信端末を携帯することが広く行なわれている。携帯電話を腕時計のように腕に巻き付ければ携帯に便利であり、特許文献１および特許文献２のように、腕に巻き付けるタイプの携帯電話が提案されている。
【０００３】
【特許文献１】特開平５−２４４２３７号公報（要約）
【特許文献２】特開２００２−３１４６６０号公報（要約）
【発明の開示】
【発明が解決しようとする課題】
【０００４】
しかしながら、腕に巻き付けるタイプの携帯電話においては、携帯電話に備えつけるディスプレイを大きくすることが難しい。すなわち、ディスプレイの幅および高さを腕の太さよりも小さくせざるを得ない。さもなければ、ディスプレイが腕から大きくはみでて、携帯に不便だからである。
【０００５】
また、携帯電話はある程度の厚みを有しているので、腕に巻き付ける際の装着感がさほど良いものではない。
【０００６】
そこで、本発明は、腕に巻き付け可能な携帯通信端末において、画面を大きくし、かつ本体を薄くすることを課題とする。
【課題を解決するための手段】
【０００７】
本発明は携帯通信端末に関する。本発明に係る携帯通信端末は、可撓性ディスプレイと、部品ブロックとを備える。可撓性ディスプレイは、たわませることができる。部品ブロックは、可撓性ディスプレイの周囲に配置され、携帯通信端末を機能させるための部品が配置されている。
【０００８】
なお、可撓性ディスプレイと、部品ブロックとが同一平面上に配置されていることが好ましい。
【０００９】
また、隣り合う部品ブロックどうしが、たわませることが可能な接続部材により接続されているとよい。
【００１０】
さらに、隣り合う部品ブロックどうしを引き付け合う磁石を備えることが好適である。この磁石を電磁石とし、可撓性ディスプレイを伸長して使用する際に、磁石がONにされるようにするとよい。
【００１１】
また、複数の部品ブロックに分けて配置された電池を備えることが好ましい。
【発明を実施するための最良の形態】
【００１２】
以下、本発明の実施形態を図面を参照しながら説明する。
【００１３】
第一の実施形態
図１は、第一の実施形態にかかる携帯電話（携帯通信端末）１の平面図である。第一の実施形態にかかる携帯電話１は、可撓性ディスプレイ１０、部品ブロック２０（２０ａ、２０ｂ、２０ｃ、２０ｄ、２０ｅ、２０ｆ、２０ｇ、２０ｈ、２０ｉ、２０ｊ、２０ｋ、２０ｍ）を備える。
【００１４】
可撓性ディスプレイ１０は、たわませることができる液晶ディスプレイである。可撓性ディスプレイ１０は、腕に巻き付けることができる程度にたわませられることが好ましい。可撓性ディスプレイ１０の平面形状は、横に長い長方形である。可撓性ディスプレイ１０は、長辺を丸めて、腕に巻き付けるようにすることが好ましい。可撓性ディスプレイ１０の長辺は、腕の太さより大きくてもよい。
【００１５】
部品ブロック２０（２０ａ、２０ｂ、２０ｃ、２０ｄ、２０ｅ、２０ｆ、２０ｇ、２０ｈ、２０ｉ、２０ｊ、２０ｋ、２０ｍ）には、携帯電話１を機能させるための部品が配置されている。図２は、部品ブロック２０の平面図である。部品ブロック２０には、部品２２、２４が配置されている。これにより、部品ブロック２０が、携帯電話１を機能させるための部品（例えば、電池、スピーカなど）として機能する。
【００１６】
可撓性ディスプレイ１０の上の長辺に沿って部品ブロック２０ａ、２０ｂ、２０ｃ、２０ｄ、２０ｅが配置されている。可撓性ディスプレイ１０の下の長辺に沿って部品ブロック２０ｆ、２０ｇ、２０ｈ、２０ｉ、２０ｊが配置されている。可撓性ディスプレイ１０の左の短辺に沿って部品ブロック２０ｋが配置されている。可撓性ディスプレイ１０の右の短辺に沿って部品ブロック２０ｍが配置されている。
【００１７】
各部品ブロック２０の果たす機能の一例を図３に示す。
【００１８】
部品ブロック２０ａ、２０ｂ、２０ｃは、それぞれが電池（1.2V分）の機能を果たす。これにより、部品ブロック２０ａ、２０ｂ、２０ｃは、あわせて電池（3.6V分）の機能を果たす。
【００１９】
部品ブロック２０ｄは、電源回路の機能を果たす。電源回路は、電池（3.6V分）から電力の供給を受け、ＣＰＵ等の各部に電力を供給する。
【００２０】
部品ブロック２０ｅは、ＣＰＵの機能を果たす。ＣＰＵは、液晶ドライバ等の各部を制御する。
【００２１】
部品ブロック２０ｆは、液晶ドライバの機能を果たす。液晶ドライバは、可撓性ディスプレイ１０のドライバ回路である。
【００２２】
部品ブロック２０ｇ、２０ｈは、メモリの機能を果たす。メモリはROM（読出し専用メモリ）、RAM（ランダムアクセスメモリ）、フラッシュメモリなどである。メモリは、携帯電話１が使用するプログラムおよびデータが記録されている。
【００２３】
部品ブロック２０ｉは、信号処理部の機能を果たす。信号処理部は、携帯電話１が送受信する信号の変調および復調などを行なうためのものである。また、マイクが取得した音声信号をＡ／Ｄ変換し、受信したデジタル信号をＤ／Ａ変換してスピーカに出力するなどの機能を果たす。
【００２４】
部品ブロック２０ｊは、ＲＦ（radio
frequency）回路の機能を果たす。ＲＦ回路は、無線周波数の信号の送受信を行なうためのものである。
【００２５】
部品ブロック２０ｋは、マイクの機能を果たす。マイクは携帯電話１の利用者の音声を取得して音声信号に変換するためのものである。音声信号は、信号処理部に送られる。
【００２６】
部品ブロック２０ｍは、アンテナ、スピーカおよびカメラの機能を果たす。アンテナは携帯電話１の送受信に用いる。スピーカは、受信した信号を音声の形で携帯電話１の利用者に聞かせるためのものである。カメラは画像を撮像するための手段であり、いわゆるデジタルカメラである。
【００２７】
図４は、部品ブロック２０ｉと部品ブロック２０ｊとが隣接する部分IV（図１参照）の拡大平面図（図４（ａ））、拡大側面図（図４（ｂ））である。
【００２８】
部品ブロック２０ｉと部品ブロック２０ｊとはフレキシブルケーブル３０により接続されている。フレキシブルケーブル３０は、柔軟にたわむことができるケーブルである。隣接する部品ブロック２０は、部品ブロック２０ｉ、２０ｊに限らず、フレキシブルケーブル３０により接続される。図４（ｂ）に示すように、部品ブロック２０ｉ、２０ｊの厚みは、可撓性ディスプレイ１０の厚みとほぼ同じである。よって、部品ブロック２０ｉ、２０ｊと、可撓性ディスプレイ１０とは同一平面上にある。他の部品ブロック２０もまた、可撓性ディスプレイ１０とは同一平面上にある。
【００２９】
次に、第一の実施形態の動作を説明する。
【００３０】
携帯電話１は、通話および画面使用時と、携帯時とではその形状が異なる。
【００３１】
通話および画面使用時は、携帯電話１を図１に示すように伸長して使用する。通話および画面使用時の、可撓性ディスプレイ１０および部品ブロック２０の動作（例えば、信号をアンテナ（部品ブロック２０ｍ）で受け、ＲＦ回路（部品ブロック２０ｊ）でＲＦ信号に変換してから、信号処理部（部品ブロック２０ｉ）でＩＦ信号に変換し、Ｄ／Ａ変換してから後に、スピーカ（部品ブロック２０ｍ）から音声として出力するといったこと）は周知の携帯電話と同様ゆえ説明を省略する。
【００３２】
携帯時は、可撓性ディスプレイ１０の長辺を丸めて、腕１００に巻き付けるようにする。図５は、可撓性ディスプレイ１０の長辺を丸めた状態の携帯電話１の側面図である。図５は、図示の便宜上、部品ブロック２０ｆ、２０ｇ、２０ｊを図示省略している。
【００３３】
部品ブロック２０は固く（例えば、プラスチックでできている）、特にたわませることができるようなものではない。しかし、フレキシブルケーブル３０はたわむことができるため、丸まった可撓性ディスプレイ１０に沿うように、部品ブロック２０ｈ、２０ｉが向きを変えることができる。
【００３４】
第一の実施形態によれば、携帯電話１の画面として可撓性ディスプレイ１０を使用したため、画面を大きくすることができる。すなわち、可撓性ディスプレイ１０の長辺が腕の太さよりも大きくても、可撓性ディスプレイ１０を腕１００に巻き付ければ、可撓性ディスプレイ１０が腕１００から大きくはみでることもないので、携帯する際に便利である。
【００３５】
しかも、第一の実施形態によれば、部品ブロック２０と、可撓性ディスプレイ１０とが同一平面上にあるため、携帯電話１を薄くできる。
【００３６】
さらに、隣接する部品ブロック２０が、フレキシブルケーブル３０により接続されている。よって、部品ブロック２０自体がたわまなくても、フレキシブルケーブル３０がたわんで、部品ブロック２０が丸まった可撓性ディスプレイ１０に沿うように向きを変えることができる。したがって、携帯電話１を腕に巻き付けることが可能となる。
【００３７】
また、電池（3.6V分）を単一の部品ブロックにて実現すれば、その部品ブロックの長辺の長さが大きくなり、部品ブロック２０ａ、２０ｂ、２０ｃの長辺の長さを合計したものとなる。これでは、その部品ブロックを、腕に巻きつけられた可撓性ディスプレイ１０に沿うようにすることが困難である。しかし、第一の実施形態によれば、電池（3.6V分）が複数の部品ブロック２０ａ、２０ｂ、２０ｃに分けて実装されている。各部品ブロック２０ａ、２０ｂ、２０ｃの長辺の長さはさほど長くないので、腕に巻きつけられた可撓性ディスプレイ１０に沿うように向きを変えることができる。
【００３８】
第二の実施形態
第二の実施形態は、可撓性ディスプレイ１０と部品ブロック２０とが部分的に重なっている点が第一の実施形態と異なる。
【００３９】
図６は、第二の実施形態にかかる携帯電話（携帯通信端末）１の平面図である。第一の実施形態にかかる携帯電話１は、可撓性ディスプレイ１０、部品ブロック２０を備える。以下、第一の実施形態と同様な部分は同一の番号を付して説明を省略する。
【００４０】
可撓性ディスプレイ１０の長辺のあたりに、部品ブロック２０ａ、２０ｂ、２０ｃ、２０ｄ、２０ｅ、２０ｆ、２０ｇ、２０ｈ、２０ｉ、２０ｊの一部分が重なっている。
【００４１】
図７は、部品ブロック２０ｉと部品ブロック２０ｊとが隣接する部分VII（図６参照）の拡大側面図である。図７に示すように、可撓性ディスプレイ１０の下に、部品ブロック２０ｉ、２０ｊが配置されている。
【００４２】
他の点および動作については、第一の実施形態と同様である。
【００４３】
第二の実施形態によれば、携帯電話１の厚さがやや厚くなるが、可撓性ディスプレイ１０および部品ブロック２０の厚さは薄いので、携帯電話１を薄くできる。よって、第二の実施形態によっても、第一の実施形態と同様の効果を奏する。
【００４４】
第三の実施形態
第三の実施形態は、各部品ブロック２０に磁石４０を備えた点が第一の実施形態と異なる。
【００４５】
第三の実施形態にかかる携帯電話１は、可撓性ディスプレイ１０、部品ブロック２０（２０ａ、２０ｂ、２０ｃ、２０ｄ、２０ｅ、２０ｆ、２０ｇ、２０ｈ、２０ｉ、２０ｊ、２０ｋ、２０ｍ）を備える。平面図は第一の実施形態と同様（図１参照）なので省略する。以下、第一の実施形態と同様な部分は同一の番号を付して説明を省略する。
【００４６】
図８は、第三の実施形態にかかる部品ブロック２０ｉと部品ブロック２０ｊとが隣接する部分IV（図１参照）の拡大平面図（図８（ａ））、拡大側面図（図８（ｂ））である。図８に示すように、部品ブロック２０ｉの短辺と、部品ブロック２０ｊの短辺とは平行に向かいあっており、短辺の下方にはフレキシブルケーブル３０が接続されている。部品ブロック２０ｉの短辺の上方には磁石４０ｉが、部品ブロック２０ｊの短辺の上方には磁石４０ｊが配置されている。磁石４０ｉおよび磁石４０ｊは互いに引き付け合うようにされている。よって、部品ブロック２０ｉと部品ブロック２０ｊとが互いに引き付け合うようになっている。
【００４７】
なお、部品ブロック２０には、部品ブロック２０ｉ、２０ｊに限らず、磁石４０が設けられている。これにより、隣接する部品ブロック２０は互いに引き付け合うようになっている。
【００４８】
また、磁石４０を電磁石としてＯＮ／ＯＦＦを制御できるようにしてもよい。携帯電話１を伸長させるとき（図１参照）はＯＮにして、隣接する部品ブロック２０が互いに引き付け合うようにする。この場合、携帯電話１を腕に巻き付けるときは（図５参照）、磁石４０をＯＦＦにして、隣接する部品ブロック２０間に引きつけ合う力が働かなくなるようにする。
【００４９】
次に、第三の実施形態の動作を説明する。
【００５０】
携帯電話１は、通話および画面使用時と、携帯時とではその形状が異なる。
【００５１】
携帯時は、可撓性ディスプレイ１０の長辺を丸めて、腕１００に巻き付けるようにする。図９（ａ）は、可撓性ディスプレイ１０の長辺を丸めた状態の携帯電話１の側面図である。図９は、図示の便宜上、部品ブロック２０ｆ、２０ｇ、２０ｊを図示省略している。図９（ａ）においては、隣接する部品ブロック２０の上方の短辺の間（例えば、部品ブロック２０ｈと部品ブロック２０ｉとの上方の短辺の間）の距離が大きくなるので、磁石４０どうしが引き合う力は弱く、隣接する部品ブロック２０間に働く引きつけ合う力は弱い。
【００５２】
ここで、図９（ａ）に示す状態から、通話および画面の使用を行なう状態にする。図９（ｂ）は、その途中の状態における携帯電話１の側面図である。図９（ｂ）においては、隣接する部品ブロック２０の上方の短辺の間（例えば、部品ブロック２０ｈと部品ブロック２０ｉとの上方の短辺の間）の距離が小さくなるので、磁石４０どうしが引き合う力が強くなり、隣接する部品ブロック２０間に働く引きつけ合う力は強くなる。これにより、携帯電話１が伸長しようとする力が働くことになる。
【００５３】
図９（ｂ）に示す状態から、さらに、携帯電話１を伸長させて、通話および画面の使用を行なう状態にする。図９（ｃ）は、携帯電話１を伸長させきった状態における携帯電話１の側面図である。図９（ｃ）においては、図９（ｂ）の状態よりもさらに、隣接する部品ブロック２０の上方の短辺の間（例えば、部品ブロック２０ｈと部品ブロック２０ｉとの上方の短辺の間）の距離が小さくなるので、磁石４０どうしが引き合う力がさらに強くなり、隣接する部品ブロック２０間に働く引きつけ合う力がさらに強くなる。これにより、携帯電話１が伸長した状態を保つ力が働くことになる。よって、通話および画面の使用時において、携帯電話１が不意に丸まってしまうようなことを避けられる。
【００５４】
なお、磁石４０を電磁石とした場合は、携帯時は、可撓性ディスプレイ１０の長辺を丸めて、腕１００に巻き付けるようにする（図９（ａ）参照）。このとき、磁石４０をＯＦＦにするので、隣接する部品ブロック２０間に引きつけ合う力が働かない。
【００５５】
ここで、通話および画面の使用を行なう状態にする。このとき、磁石４０をＯＮにする。磁石４０の磁力は、図９（ａ）に示すような、隣接する部品ブロック２０の上方の短辺の間が大きい場合でも、隣接する部品ブロック２０間に引きつけ合う力が充分に働くようにすることが好ましい。
【００５６】
すると、磁石４０の磁力によって、隣接する部品ブロック２０が引き付け合い、図９（ｂ）に示すような状態になり、さらに図９（ｃ）に示すような状態になる。よって、磁石４０をＯＮにすれば、携帯電話１の利用者が携帯電話１を伸長する力を加えなくても、自動的に携帯電話１が伸長して、通話および画面の使用に適した状態となる。
【００５７】
さらに、磁石４０をＯＦＦにした状態では携帯電話１が丸まってしまうように、可撓性ディスプレイ１０および部品ブロック２０を形成しておくとよい。この場合、磁石４０をＯＦＦにすれば、携帯電話１の利用者が携帯電話１を丸める力を加えなくても、自動的に携帯電話１が丸まって、腕に巻き付けての携帯に適した状態となる。
【００５８】
第三の実施形態によれば、第一の実施形態と同様の効果を奏する。しかも、磁石４０によれば、携帯電話１を腕に巻き付けた状態から伸長した状態にする際に、利用者が携帯電話１にかける力が少なくてすむ。しかも、通話および画面の使用時において、携帯電話１が不意に丸まってしまうようなことを避けられる。
【００５９】
さらに、磁石４０を電磁石とすれば、携帯電話１を腕に巻き付けた状態から伸長した状態にする際にも、伸長した状態から腕に巻き付けた状態にする際にも、利用者が携帯電話１に力をかけずに、自動的に行なうことができる。
【図面の簡単な説明】
【００６０】
【図１】第一の実施形態にかかる携帯電話（携帯通信端末）１の平面図である。
【００６１】
【図２】部品ブロック２０の平面図である。
【００６２】
【図３】各部品ブロック２０の果たす機能の一例を示す図である。
【００６３】
【図４】部品ブロック２０ｉと部品ブロック２０ｊとが隣接する部分IVの拡大平面図（図４（ａ））、拡大側面図（図４（ｂ））である。
【００６４】
【図５】可撓性ディスプレイ１０の長辺を丸めた状態の携帯電話１の側面図である。
【００６５】
【図６】第二の実施形態にかかる携帯電話（携帯通信端末）１の平面図である。
【００６６】
【図７】部品ブロック２０ｉと部品ブロック２０ｊとが隣接する部分VIIの拡大側面図である。
【００６７】
【図８】第三の実施形態にかかる部品ブロック２０ｉと部品ブロック２０ｊとが隣接する部分IVの拡大平面図（図８（ａ））、拡大側面図（図８（ｂ））である。
【００６８】
【図９】第三の実施形態にかかる携帯電話１の側面図であり、腕に巻き付けた状態（図９（ａ））、伸長しかけた状態（図９（ｂ））、伸長した状態（図９（ｃ））を示す。
【符号の説明】
【００６９】
１  携帯電話
１０  可撓性ディスプレイ
２０  部品ブロック
３０  フレキシブルケーブル
４０  磁石
【図１】
0004614645.tif 000002
【図２】
0004614645.tif 000003
【図３】
0004614645.tif 000004
【図４】
0004614645.tif 000005
【図５】
0004614645.tif 000006
【図６】
0004614645.tif 000007
【図７】
0004614645.tif 000008
【図８】
0004614645.tif 000009
【図９】
0004614645.tif 000010